(57)【要約】【課題】本発明の目的は医療装置支持体を有する移動式医療用フレームにおいて不安定さ等の問題点を解決したものを提供することである。【解決手段】複数の車輪を取付けられた基部（１１）と、直立の支持体（１３）と、移動式医療用フレーム（１０）の舵をとるため及び／または使用者が該移動式医療用フレーム（１０）にもたれて身を支えるための少なくとも一つのハンドル（３５）を含む、移動式医療用フレーム（１０）であって、該直立の支持体（１３）は、該基部（１１）に取付けられた実質的に直立の下部（１７）と、該基部（１１）から一定の高さの位置に設置された傾斜部（２７）であって、該傾斜部（２７）が該下部（１７）から斜め上方に延びる傾斜部（２７）と、該傾斜部（２７）から実質的に上方に延びる上部（２９）とを有する移動式医療用フレーム（１０）を提供する。【選択図】図８ａ
2009516550.tif 000002
【特許請求の範囲】
【請求項１】
複数の車輪を取付けられた基部と、
直立の支持体と、
移動式医療用フレームの進路をとるため及び／または使用者が該移動式医療用フレームで身を支えるための少なくとも一つのハンドルを含む、移動式医療用フレームであって、該直立の支持体が、
該基部に取付けられた実質的に直立の下部と、
該基部から一定の高さの位置に設置された傾斜部であって、該傾斜部が該下部から斜め上方に延びる傾斜部と、
該傾斜部から実質的に上方に延びる上部とを有する移動式医療用フレーム。
【請求項２】
前記下部が、前記基部の直立する中心軸と実質的に一直線になる請求項1に記載の移動式医療用フレーム。
【請求項３】
前記傾斜部にモニタ装置が取付けられ、該モニタ装置を、前記移動式医療用フレームのそばに立つ使用者または介護者が見ることができるように、該傾斜部の高さが設定された請求項１または２に記載の移動式医療用フレーム。
【請求項４】
使用者の略前向きの視界を、前記移動式医療用フレームが遮らないように、前記傾斜部を前記支持体の側部アームに対して、前記下部の軸外に取付けることによって、該傾斜部及び上部を該移動式医療用フレームの中心軸の側方に設置する請求項１から3のいずれかに記載の移動式医療用フレーム。
【請求項５】
前記上部が後方に傾斜させられて、該上部に取付けられた荷重は移動式医療用フレームの中心軸により近づけられた設置となる請求項１から４のいずれかに記載の移動式医療用フレーム。
【請求項６】
前記基部が、前記直立支持体から半径方向に延びる第1のアームおよび該第1のアームに対して反対に位置しかつお互いに分岐する一対の第２のアームによって画定され、該第１のアームおよび第２のアームはそれぞれ地面に対して車輪によって支えられている請求項１から５のいずれかに記載の移動式医療用フレーム。
【請求項７】
前記第２のアームの車輪が、人がハンドルを操作し該第２のアームの間に立つことができるために十分な間隔を有する請求項６に記載の移動式医療用フレーム。
【請求項８】
前記第１のアームを前記支持体の前記上部の中心軸より前に延ばしてフレームを安定させる請求項６または７に記載の移動式医療用フレーム。
【請求項９】
前記第１のアームおよび第２のアームが、中心軸に関して、下方に向かって分岐する請求項６から８までのいずれかに記載の移動式医療用フレーム。
【請求項１０】
前記基部が、前記第２のアームと反対方向に位置する２つの第１のアームを含み、該第１のアームがそれぞれ地面に対し車輪によって支持される請求項６から９までのいずれかに記載の移動式医療用フレーム。
【請求項１１】
前記第１のアームが、お互いに平行である請求項１０に記載の移動式医療用フレーム。
【請求項１２】
少なくとも１つの第１のアームが、その上に円筒タンクを支持するための手段を含む請求項１１に記載の移動式医療用フレーム。
【請求項１３】
前記移動式医療用フレームに１対のハンドルが備え付けられ、各ハンドルは前記支持体に取付けられた側部アームから延び、ハンドルは前記傾斜部に関して反対方向に延び該フレームの中心軸の両側に向かって等間隔で配置された、請求項１から１２までのいずれかに記載の移動式医療用フレーム。
【請求項１４】
ハンドルの高さが、調節可能である請求項１３に記載の移動式医療用フレーム。
【請求項１５】
各側部アームが、留め具を有する垂直な管状部を備え、各ハンドルが、該管状部に滑動して収納される垂直部およびつかみ部を有する水平部を含み、該側部アームに関して垂直方向に垂直部を移動させ、次に該留め具によって望ましいつかみ部の高さに垂直部を固定することによって該つかみ部の高さを調節できる請求項１４に記載の移動式医療用フレーム。
【請求項１６】
湾曲部が、前記垂直部と前記つかみ部の水平部とをつなぐ請求項１５に記載の移動式医療用フレーム。
【請求項１７】
前記ハンドルが、使用者の前腕を支持するための前腕サポートを含む、請求項１３または１４に記載の移動式医療用フレーム。
【請求項１８】
前記ハンドルが、最表面に当て物をした延長水平凹部を含み、該凹部の前端に垂直に立つつかみ部を有する請求項１７に記載の移動式医療用フレーム。
【請求項１９】
前記ハンドルが、後部車輪の間に画定される空間の上方に位置する請求項７に従属するときの請求項１３に記載の移動式医療用フレーム。
【請求項２０】
前記傾斜部が、前記下部の上端から延びる請求項１から１９のいずれかに記載の移動式医療用フレーム。
【請求項２１】
前記上部が、前記傾斜部の上端から延びる請求項１から２０のいずれかに記載の移動式医療用フレーム。
【請求項２２】
前記傾斜部が、前記支持体の全長の実質的に中間に位置する請求項１から２１のいずれかに記載の移動式医療用フレーム。
【請求項２３】
前記支持体の前記傾斜部が、前記下部から該下部の中心軸に対して約４５度傾斜して延びる請求項１から２２のいずれかに記載の移動式医療用フレーム。
【請求項２４】
前記上部が、該上部から延長可能な延長部を含み、該上部および該延長部の両方が、その上端に静脈内輸液容器等を取付けるための手段を備える請求項１から２３のいずれかに記載の移動式医療用フレーム。
【請求項２５】
前部車輪がベッドの下に収容され得るように、前記基部が形成される請求項１から２４のいずれかに記載の移動式医療用フレーム。
【請求項２６】
前記移動式医療用フレームをベッドと共に移動させることが望まれるとき、前記支持体を留め具で留めてベッドにかみ合わせ得る請求項１から２５のいずれかに記載の移動式医療用フレーム。
【請求項２７】
静脈内輸液容器を、または前記傾斜部で支持されるポンプ類もしくはモニタ装置に付属する電気コード類を支えるためのフック等の手段を、前記支持体がその様々な位置に備える請求項１から２６のいずれかに記載の移動式医療用フレーム。
【請求項２８】
複数の車輪を取付けられた基部と、
互いに間隔を開けられて保持される１対の直立の支持体と、
移動式医療用フレームの進路をとるため及び／または使用者が該移動式医療用フレームで身を支えるための少なくとも一つのハンドルを含む、移動式医療用フレームであって、該１対の直立の支持体がそれぞれ、
該基部に取付けられた実質的に直立の下部と、
該基部から一定の高さの位置に設置された傾斜部であって、該傾斜部が該下部から斜め上方に延びる傾斜部と、
該傾斜部から実質的に上方に延びる上部とを有する移動式医療用フレーム。
【請求項２９】
前記基部が、２つの前方に延びる第１のアームと、２つの概して後方に延びる第２のアームを含み、これらのアームは、互いに分岐し、それぞれが地面で車輪によって支えられる請求項２８に記載の移動式医療用フレーム。
【請求項３０】
少なくとも１つの前記第１のアームが、円筒タンクを支持するための手段を含む請求項２９に記載の移動式医療用フレーム。
【請求項３１】
各支持体の前記下部が、前記第１のアームのうちの一方及び前記第２のアームのうちの一方に取付けられる請求項２８から３０のいずれかに記載の移動式医療用フレーム。
【請求項３２】
前記支持体が、少なくとも１つの突張りで相互に連結される請求項２８から３１のいずれかに記載の移動式医療用フレーム。
【請求項３３】
下部突張りが、前記下部と前記傾斜部の接合部の間を連結し、上部突張りが、前記上部の上端の間を連結する請求項３２に記載の移動式医療用フレーム。
【請求項３４】
該支持体が、金属板の形態の第３の突張りによって相互に連結され、第３の突張りは、前記上部の下端に位置する請求項３３に記載の移動式医療用フレーム。
【請求項３５】
静脈内輸液バッグを、または前記傾斜部で支持されるポンプ類もしくはモニタ装置に付属する電気コード類を支えるのに適当なフック等の手段を、前記突張りが必要に応じて備える請求項３３または３４に記載の移動式医療用フレーム。
【請求項３６】
前記移動式医療用フレームに１対のハンドルが備え付けられ、各ハンドルは各支持体の側部アームから延び、ハンドルは前記傾斜部に関して反対方向に延び該フレームの中心軸の両側に向かって等間隔で配置される請求項２８から３５までのいずれかに記載の移動式医療用フレーム。
【請求項３７】
ハンドルの高さが、調節可能である請求項３６に記載の移動式医療用フレーム。
【請求項３８】
各側部アームが、留め具を有する垂直な管状部を備え、各ハンドルが、該管状部に滑動して収納される垂直部およびつかみ部を有する水平部を含み、該側部アームに関して垂直方向に垂直部を移動させ、次に該留め具によって望ましいつかみ部の高さに垂直部を固定することによって該つかみ部の高さを調節できる請求項３７に記載の移動式医療用フレーム。
【請求項３９】
湾曲部が、前記ハンドルの前記垂直部と水平部とをつなぐ請求項３８に記載の移動式医療用フレーム。
【請求項４０】
前記ハンドルが、使用者の前腕を支持するための前腕サポートを含む、請求項３６から３９までのいずれかに記載の移動式医療用フレーム。
【請求項４１】
前記ハンドルが、最表面に当て物をした延長水平凹部を含み、該凹部の前端に垂直に立つつかみ部を有する請求項４１に記載の移動式医療用フレーム。
【請求項４２】
前記上部が後方に傾斜させられて、該上部に取付けられた荷重は移動式医療用フレームの中心軸により近づけられた設置となる請求項２８から４１のいずれかに記載の移動式医療用フレーム。
【請求項４３】
前記移動式医療用フレームが、別のこのような移動式医療用フレームと入れ子状に重なり得るように形成される請求項１から４２までのいずれかに記載の移動式医療用フレーム。
【請求項４４】
前記支持体の様々な位置に、静脈内輸液容器をまたは前記傾斜部で支持されるポンプ類もしくはモニタ装置に付属する電気コード類を支えるためのフック等の手段が備えられる請求項１から４３までのいずれかに記載の移動式医療用フレーム。
【請求項４５】
複数の車輪を取付けられた基部と、
該基部に取付けられた支持体と、
移動式医療用フレームの進路をとるため及び／または使用者が該移動式医療用フレームで身を支えるための少なくとも一つのハンドルを含む、移動式医療用フレームであって、該支持体が、
該基部から一定の高さの位置に設置された、モニタ装置を支持する傾斜部であって、該フレームのそばに立つ使用者または人が該装置を見ることができる傾斜部と、
静脈内輸液容器を支える上部とを有する移動式医療用フレーム。
【請求項４６】
複数の車輪を取付けられた基部と、
直立する支持体とを含む静脈内輸液支持支柱であって、
該直立する支持体は、
該基部の直立する中心軸と実質的に一直線状に並ぶ下部と、
該基部から一定の高さの位置に配置され、実質的に該支持体の全長の中間に位置する傾斜部であって、該傾斜部は該下部の上端から斜め上方に延び、その上面を使用の対象とする使用者が体の位置を変える必要なく該使用者に対面するように向けた傾斜部と、
該中間位置の傾斜部の上端から上方に延びる上部とを有する静脈内輸液支持支柱。
【請求項４７】
図面に示された本発明の実施形態のいずれかを引用して実質的に本明細書において説明された移動式医療用フレーム。
【発明の詳細な説明】
【技術分野】
【０００１】
本発明は医療装置支持体を有する移動式静脈内輸液点滴フレーム（ｉｎｔｒａｖｅｎｏｕｓ  ｍｏｂｉｌｉｔｙ  ｆｒａｍｅ）に関する。
【背景技術】
【０００２】
静脈内輸液（ｉｎｔｒａｖｅｎｏｕｓ）支持支柱は、病院その他の場所で使用され、輸液、モニタ装置、患者に輸液を供給するため及び患者への輸液の供給の制御のために使用されるポンプ等を支える。最も基本的な型では、地上のある適当な高さ(普通はおよそ１．９メートル)に備える静脈内輸液を含むバッグを支持するために静脈内輸液支柱は利用され、患者に重力を使って輸液を供給する。他の場合、輸液はポンプによって患者に供給され、それゆえ輸液を患者の上の特定の高さに設置する必要はない。ポンプは、医療スタッフによって容易に観察できる位置に設置されるのが普通であるが、それは、医療スタッフが装置を読み取りまたは装置の稼働状況を観察するたびに腰を曲げる必要がない、およそ眼高さの位置である。
【０００３】
上述した型の静脈内輸液支柱は、静脈内輸液支柱の上端に向かって重い物品が設置されるため、重心が高くなり本質的に不安定になるという重大な問題を有している。それゆえ、患者がベッドから離れる必要がある、または歩行状態にあるとき、患者は、静脈内輸液支柱と、支柱に装着された全ての付属する装置とを一緒に動かす必要もある。支柱が何かに突き当たり、または患者が瞬間的に安定を失うとき、静脈内輸液支柱が転倒するためにはほとんど労力はかからない。さらに、支柱の唯一の支持手段が、支柱中心軸それ自体からなるので、支柱を地面上で移動させるとき、１つ以上のキャスターが詰まって動かなくなったり、床上の物体にはまったりしたとき、支柱が中心軸を中心に回転したり及び／または転倒し始めることがよくある。
【発明の開示】
【発明が解決しようとする課題】
【０００４】
本発明の課題は、上記背景技術に書かれた問題点を解決することである。
【課題を解決するための手段】
【０００５】
一つの態様では、本発明は、
複数の車輪を取付けられた基部と、
直立の支持体と、
移動式医療用フレームの進路をとるため及び／または使用者が該移動式医療用フレームで身を支えるための少なくとも一つのハンドルを含む、移動式医療用フレームであって、該直立の支持体が、
該基部に取付けられた実質的に直立の下部と、
該基部から一定の高さの位置に設置された傾斜部であって、該傾斜部が該下部から斜め上方に延びる傾斜部と、
該傾斜部から実質的に上方に延びる上部とを有する移動式医療用フレームを提供する。
【０００６】
前記下部は、前記基部の直立する中心軸と実質的に一直線になるのが好ましい。好ましくは、傾斜部にモニタ装置が取付けられ、該モニタ装置を、前記移動式医療用フレームのそばに立つ使用者または介護者が見ることができるように、該傾斜部の高さが設定される。使用者の略前方の視界を、前記移動式医療用フレームが遮らないように、前記傾斜部を前記支持体の側部アームに対して、前記下部の軸外に取付けることによって、該傾斜部及び上部を該移動式医療用フレームの中心軸の側方に設置するのが好ましい。好ましくは、前記上部が後方に傾斜させられて、該上部に取付けられた荷重は移動式医療用フレームの中心軸により近づけられた設置となる。
【０００７】
前記基部は、好ましくは、前記直立支持体から半径方向に延びる第1のアームおよび該第1のアームに対して反対に位置しかつお互いに分岐する１対の第２のアームによって画定され、該第１のアームおよび第２のアームはそれぞれ地面に対して車輪によって支えられている。前記第２のアームの車輪は、好ましくは、人がハンドルを操作し該第２のアームの間に立つことができるために十分な間隔を有する。前記第１のアームを前記支持体の前記上部の中心軸より前に延ばしてフレームを安定させるのが好ましい。前記第１のアームおよび第２のアームは、中心軸に関して、下方に向かって分岐するのが好ましい。前記基部は、前記第２のアームと反対方向に位置する２つの第１のアームを含み、該第１のアームがそれぞれ地面に対し車輪によって支持されるのが好ましい。前記第１のアームが、お互いに平行であるのが好ましく、少なくとも１つの第１のアームが、その上に円筒タンクを支持するための手段を含むのが好ましい。
【０００８】
好ましくは、前記移動式医療用フレームに１対のハンドルが備え付けられ、各ハンドルは前記支持体に取付けられた側部アームから延び、ハンドルは前記傾斜部に関して反対方向に延び、該フレームの中心軸の両側に向かって等間隔で配置される。ハンドルの高さは、調節可能であるのが好ましい。好ましくは、各側部アームは、留め具を有する垂直な管状部を備え、各ハンドルは、該管状部に滑動して収納される垂直部およびつかみ部を有する水平部を含み、該側部アームに関して垂直方向に垂直部を移動させ、次に該留め具によって望ましいつかみ部の高さに垂直部を固定することによって該つかみ部の高さを調節できる。好ましくは、湾曲部によって、前記垂直部と前記つかみ部の水平部とがつながれる。
【０００９】
前記ハンドルは、使用者の前腕を支持するための前腕サポートを含み得る。前記前腕サポートは、最表面に当て物をした延長水平凹部を含み、該凹部の前端に垂直に立つつかみ部を有し得る。前記ハンドルは、後部車輪の間に画定される空間の上方に位置させるのが好ましい。
【００１０】
前記傾斜部は、前記下部の上端から延びるのが好ましい。前記上部は、前記傾斜部の上端から延びるのが好ましい。前記傾斜部は、前記支持体の全長の実質的に中間に位置するのが好ましく、前記下部から該下部の中心軸に対して約４５度傾斜して延びるのが好ましい。前記上部は、該上部から延長可能な延長部を含み、該上部および該延長部の両方が、その上端に静脈内輸液容器等を取付けるための手段を備えるのが好ましい。
【００１１】
前部車輪がベッドの下に収容され得るように、前記基部は形成されるのが好ましい。好ましくは、前記移動式医療用フレームをベッドと共に移動させることが望まれるとき、前記支持体は留め具で留めてベッドにかみ合わせ得る。
【００１２】
静脈内輸液容器、または前記傾斜部で支持されるポンプ類もしくはモニタ装置に付属する電気コード類を支えるためのフック等の手段を、前記移動式医療用フレームがその様々な位置に備えるのが好ましい。
【００１３】
別の態様では、本発明は、
複数の車輪を取付けられた基部と、
互いに間隔を開けられて保持される１対の直立の支持体と、
移動式医療用フレームの進路をとるため及び／または使用者が該移動式医療用フレームで身を支えるための少なくとも一つのハンドルを含む、移動式医療用フレームであって、該１対の直立の支持体がそれぞれ、
該基部に取付けられた実質的に直立の下部と、
該基部から一定の高さの位置に設置された傾斜部であって、該傾斜部が該下部から斜め上方に延びる傾斜部と、
該傾斜部から実質的に上方に延びる上部とを有する移動式医療用フレームを提供する。
【００１４】
前記基部は、２つの前方に延びる第１のアームと、２つの略後方に延びる第２のアームを含み、これらのアームは、互いに分岐し、それぞれが地面で車輪によって支えられるのが好ましい。好ましくは、少なくとも１つの前記第１のアームが、円筒タンクを支持するための手段を含む。各支持体の前記下部は、前記第１のアームのうちの一方及び前記第２のアームのうちの一方に取付けられるのが好ましい。前記支持体が、少なくとも１つの突張りで相互に連結されるのが好ましい。下部突張りは、前記下部と前記傾斜部の接合部の間を連結し、上部突張りは、前記上部の上端の間を連結するのが好ましい。該支持体は、金属板の形態の第３の突張りによって相互に連結され、第３の突張りは、前記上部の下端に位置するのが好ましい。静脈内輸液バッグを、または前記傾斜部で支持されるポンプ類もしくはモニタ装置に付属する電気コード類を支えるのに適当なフック等の手段を、前記突張りが必要に応じて備えるのが好ましい。
【００１５】
前記移動式医療用フレームには１対のハンドルが備え付けられ、各ハンドルは各支持体の側部アームから延び、ハンドルは前記傾斜部に関して反対方向に延び該フレームの中心軸の両側に向かって等間隔で配置されるのが好ましい。ハンドルの高さは、調節可能であるのが好ましい。
【００１６】
各側部アームは、留め具を有する垂直な管状部を備え、各ハンドルは、該管状部に滑動して収納される垂直部およびつかみ部を有する水平部を含み、該側部アームに関して垂直方向に垂直部を移動させ、次に該留め具によって望ましいつかみ部の高さに垂直部を固定することによって該つかみ部の高さを調節できるようにするのが好ましい。好ましくは、湾曲部は、前記ハンドルの前記垂直部と水平部とをつなぐ。前記ハンドルは、使用者の前腕を支持するための前腕サポートを含むのが好ましい。前記ハンドルは、最表面に当て物をした延長水平凹部を含み、該凹部の前端に垂直に立つつかみ部を有するのが好ましい。
【００１７】
前記移動式医療用フレームは、別のこのような移動式医療用フレームと入れ子状に重なり得るように形成されるのが好ましい。好ましくは、前記支持体の様々な位置に、静脈内輸液容器をまたは前記傾斜部で支持されるポンプ類もしくはモニタ装置に付属する電気コード類を支えるためのフック等の手段が備えられる。
【００１８】
別の態様では、本発明は、
複数の車輪を取付けられた基部と、
該基部に取付けられた支持体と、
移動式医療用フレームの進路をとるため及び／または使用者が該移動式医療用フレームで身を支えるための少なくとも一つのハンドルを含む、移動式医療用フレームであって、該支持体が、
該基部から一定の高さの位置に設置された、モニタ装置を支持する傾斜部であって、該フレームのそばに立つ使用者または人が該装置を見ることができる傾斜部と、
静脈内輸液容器を支える上部とを有する移動式医療用フレームを提供する。
【００１９】
別の態様では、本発明は、
複数の車輪を取付けられた基部と、
直立する支持体とを含む静脈内輸液支持支柱であって、
該直立する支持体が、
該基部の直立する中心軸と実質的に一直線状に並ぶ下部と、
該基部から一定の高さの位置に配置され、実質的に該支持体の全長の中間に位置する傾斜部であって、該傾斜部は該下部の上端から斜め上方に延び、その上面を使用の対象とする使用者が体の位置を変える必要なく該使用者に対面するように向けた傾斜部と、
該中間位置の傾斜部の上端から上方に延びる上部とを有する静脈内輸液支持支柱を提供する。
【００２０】
本明細書を通じて、文脈が特に違う解釈を要求しない限り、用語「含む」（“ｃｏｍｐｒｉｓｅ”）またはその変化形（“ｃｏｍｐｒｉｓｅｓ”または“ｃｏｍｐｒｉｓｉｎｇ”）は、述べられた完全体または完全体のグループを組み入れるが、いかなる他の完全体または完全体のグループも除外しないことを意味する。
【００２１】
本発明は、以下の具体的実施形態の説明に照らしてより十分に理解される。
【発明を実施するための最良の形態】
【００２２】
それぞれの実施形態は、医療装置支持体を有する移動式医療用フレームに関する。
【００２３】
図１及び図２で示される第１の実施形態の場合、移動式医療用フレーム１０は、車輪を取付けられた基部１１と支持体１３を含む。該支持体１３は、直立する下部１７、斜め上方に向かう中間部２７、および直立する上部２９を含む。車輪を取付けられた基部１１は、前方に延びるアーム１５の下端に装着される１対の第１の車輪２１を含み、前方に延びるアーム１５は支持体１３の下部１７の下端から前方に延びる。前記前方に延びるアーム１５の下端には１対の側方に向かうアーム１９が備えられ、それぞれの側方に向かうアームは、前方に延びるアーム１５の両側に向かって等間隔で位置する第１のキャスター車輪２１を支える。さらに、前記車輪を取付けられた基部１１は、１対の後方に延びるアーム２３を含み、後方に延びるアームは、前記支持体１３の前記下部１７から後方に向かって前記前方に延びるアーム１５とは反対方向に延び、お互いに分岐する。それぞれの前記後方に延びるアーム２３は、第２のキャスター車輪２５を支える。前記前方に延びるアーム１５及び後方に延びるアーム２３は、それぞれ前記支持体１３の前記下部１７の中心軸に関して、下方に分岐する。前期後方に延びるアーム２３及び前記第２の車輪２５の外部に挟まれた空間は、人が前記支持体１３に隣接して立つことを許容するのに十分な広さである。前記前方に延びるアーム１５は、前記支持体１３の前記上部２９の中心軸を越えて前方に延び、望まれる安定性を与える。
【００２４】
さらに、前記支持体１３は、１対のハンドル３５を備え、ハンドルは１対の側部アーム３７の外端に装着され、該側部アーム３７は、傾斜部２７と概して反対方向に位置し、中心軸の両側に向かって等間隔で設置される。前記ハンドル３５は、前記後方の車輪２５の間で画定される空間の上方に設置される。前期側部アーム３７の内側の端部は、以下に説明するように、静脈内輸液容器をまたは前記傾斜部２７で支持されるポンプ類もしくはモニタ装置に付属する電気コード類を支えるためのフック類等の手段を備え得る。
【００２５】
前記支持体１３の前記中間部２７は、前記下部１７の上端から、該下部１７の中心軸に対し約４５度の角度で傾斜して延び、そして該中間部２７の上端は、ほぼ直立する上部２９に連結する。前記上部２９は、延長部３１を備え得、該上部２９および該延長部３１の両方は、その上端に、静脈内輸液容器等を取付け得る適当な支持フック３３を備える。
【００２６】
使用する場合、前記傾斜部２７は、稼動特性および装置の動作を医療スタッフが定期的に観察する必要があるポンプ類および付属するモニタ装置を収納することが意図される。前記傾斜部２７は、このようなポンプ及びモニタ装置のディスプレー面を、前記移動式医療用フレーム１０のそばに立つ人が、腰を曲げる必要なく容易に下方に覗けるように、設置され傾けられる。
【００２７】
第１の実施形態による前記移動式静脈内輸液点滴フレーム１０は、静脈内輸液容器等を従来の方式で支持支柱１０によって支持することを可能にし、定期的に観察されなければならない及び／またはモニタされなければならないディスプレーを有する装置類を支持体１３の下方の位置に設置することができる。
【００２８】
この実施形態による移動式静脈内輸液点滴フレーム１０は、医療スタッフが腰を曲げる必要なく、そして荷重のかかった移動式医療用フレーム１０の重心を過度に高くせずに、医療スタッフが前記移動式医療用フレーム１０の前記傾斜中間部２７において保持されるあらゆる装置を容易にモニタすることを可能にする点で、既存の静脈内輸液支持支柱よりも大いに有利であることが考察される。さらに、前記ハンドル３５を装備することによって、患者などの人が前記移動式医療用フレーム１０によって身を支えること及び該フレーム１０の容易な進路をとることが可能となる。さらに、前記基部１１は、必要に応じて前記正面の車輪２１がベッドの下に容易に収納され得るまたはその代わりとしてベッドとベッドサイドロッカーの間に設置され得るように、形成される。
【００２９】
この実施形態のさらなる特徴は、前記支持体をベッドと共に移動させることが望まれるとき、該支持体１３をベッドに留め具で留めることができることである。
【００３０】
図３および図４で示される第２の実施形態は、概して第１の実施形態と同じ形態であり、それゆえ対応する構成要素には同じ番号を使用した。
【００３１】
第１の実施形態と第２の実施形態との主な違いは、第２の実施形態では、支持体が相互に間隔を開けて保持される１対の直立する支持体１３であり、それぞれの支持体の下部１７は第１の車輪２１をそれぞれ有する前方に延びるアーム１５に連結し、それぞれの下部１７は第２の車輪２５を有する第２のアーム２３のどれか一方と連結することである。前記支持体１３は、前記下部１７及び前記傾斜部２７の間の接合部で設置される下部突張り３９ならびに上部２９の上端の間に設置される上部突張り４１によって相互に連結される。さらに、支持体１３は、金属板の形態をとり、前記上部２９の下端に設置される第３の突張り４３によって相互に連結される。前記第１の突張り３９及び前記第２の突張り４１は、静脈内輸液容器を保持する静脈内輸液バッグをまたは前記傾斜部２７で保持されるポンプ類もしくはモニタ装置に付属する電気コード類を支えるのに適当なフック等の手段を、必要に応じて備え得る。さらに、それぞれの支持体１３は、各々の側部アーム３７に１つのハンドル３５を支持する。
【００３２】
前記移動式医療用フレーム１０、特にその基部１１の形は、該フレーム１０が他のフレーム１０に入れ子状に重なり、保管スペースを最小限とするのを許容する。また、前記基部１１の前記前方に延びるアームは、必要に応じて病院のベッドの下に挿入できるように概して形成される。
【００３３】
図５は、上記の実施形態の修正形態の、移動式医療用フレームのための高さ調節可能ハンドル３５ａを示す。示されるように、それぞれの側部アーム３７は、迅速解除留め具４５を有する垂直管状部３６を有する。それぞれのハンドル３５ａは、前記管状部３６に滑動して収納される垂直部４６及びつかみ部４７を有する水平部４８を含む。前記つかみ部４７の高さは、このように垂直部４６を前記アーム３７に対して垂直に移動させ、次に前記留め具４５により望まれるつかみ部の高さに固定することによって、容易に調節し得る。
【００３４】
図６は、図５の修正形態の、高さ調節可能前腕サポート３５ａを示す。示されるように、水平部４８が、延長する凹部として形成される。前記水平部４８の最表面には当て物がなされ、水平部の正面端４９には垂直つかみ部柱５０及びつかみ部４７が与えられる。使用の際には、使用者は、彼または彼女の前腕を前記水平部４８にもたれさせ身を支えることができる。
【００３５】
図７ａ及び図７ｂは、円筒タンク５２を支持する第２の実施形態の第１のアーム１５を示す。前記タンク５２のネックを支持するために傾斜板５３が前記アーム１５に取付けられる。カップ部５５を有する脚部突張り５４も前記アーム１５の下方部の間に延びる。前記脚部突張り５４及びカップ部５５は、前記タンクの正面端５６が車輪キャスター２１の正面端５７より後ろに設置されるように、前記タンク５２の基部を支持する。これにより、タンクの正面端５７が壁にぶつかるのが実質的に防がれる。
【００３６】
それぞれの実施形態の場合、下部１７または前方に延びるアームまたは第２のアームは、患者に必要とされる酸素びんまたは酸素タンクとは別に他の補助的な要素を支持してもよい。
【００３７】
図８ａ、図８ｂ、図８ｃ、及び図８ｄは、第１の実施形態の修正形態による移動式医療用フレームを示す。図８で示す修正実施形態は、概して第１の実施形態と同じ形態であり、それゆえ、対応する構成要素には同じ番号を使用した。第１の実施形態と第１の実施形態の修正形態の主な違いは、第１の実施形態の修正形態では、支持体１３の下部１７が水平側部アーム３７に連結されていることである。傾斜中間部２７は、前記下部１７の軸外の側部アーム３７に取付けられる。前記中間部２７および上部２９は、このように両方とも移動式医療用フレームの中心軸の側方に設置され、これらが使用者の前方の視界を遮るのが実質的に防がれる。前記上部２９は、示されるように典型的には約４°の角度で後方にわずかに傾斜させられるので、該上部２９のフック３３に取付けられた荷重は、前記移動式医療用フレームの中心軸により近づけられて設置されることになり、移動式医療用フレームは安定する。この修正実施形態でも、図５に示されるのと同様に、ハンドル３５ａは、高さ調節可能である。側部アーム３７は、迅速解除留め具４５を有する垂直管状部４０を有する。それぞれのハンドル３５ａは、前記管状部４０に滑動して収納される垂直部４６と、つかみ部４７を有する水平部４８と、該垂直部４６および水平部４８を連結する湾曲部５８とを含む。前記つかみ部４７の高さは、このように垂直部４６を前記アーム３７に対して垂直に移動させ、次に前記留め具４５により望まれるつかみ部の高さに固定することによって、容易に調節し得る。前記垂直部４６は、示されている方向と反対の方向でも（即ち前記管状部４０の下端からでも）前記管状部４０に挿入し得るので、小児または背の低めの人の前記移動式医療用フレームの使用のために、ハンドル４８をより低い高さに設置できる。前記湾曲部５８によって、前記ハンドル４８を前記管状部４０と実質的に一直線上に設置することができる。基部１１の前方に延びるアーム１５は、タンクを支えるための２つのリングを包含する。
【００３８】
図９ａ、図９ｂ、図９ｃ、及び図９ｄは、第２の実施形態の修正形態による移動式医療用フレームを示し、これは概して第２の実施形態と同じ形態であり、それゆえ対応する構成要素には同じ番号を使用した。この第２の実施形態の修正形態は、互いに間隔を置いて保持される１対の直立の支持体１３を包含し、各々の支持体の下部１７は、第１の車輪２１をそれぞれ有する前方に延びるアーム１５に結合し、そして第２の車輪２５を支える第２のアーム２３の一方を支持する。前記支持体１３は、前記下部１７および前記傾斜部２７の間の接合部に設置される中間突張り３９と、前記下部１７の下端の下部突張り３９ａと、前記上部２９の間に設置され、金属板の形態をとり、該上部２９の下端に設置される上部突張り４１とで相互に連結される。前記支持体の様々な位置に、静脈内輸液容器を保持する静脈内輸液バッグをまたは前記傾斜部２７で支持されるポンプ類もしくはモニタ装置に付属する電気コード類を必要に応じて支えるための、適当なフック等の手段が備えられる。さらに、それぞれの支持体１３は、図８に示したのと同様に、各々の側部アーム３７から出る高さ調節可能ハンドル３５ａの１つを支持する。前記基部１１は、後部アーム２３と反対に位置する２本の前方に延びるアーム１５を包含する。前記前方に延びるアーム１５はお互いに平行であり、円筒タンクを支える２つの間隔をとって設置される湾曲したゆりかご状の架台６０を包含する。この修正形態は、重力を利用して供給する場合の高さまで上げる必要のないポンプを利用する輸液のための、固定した高さに設置される４つのフック３３ａも包含する。
【００３９】
説明されるそれぞれの修正形態は、支持体上部２９に滑動して挿入され得る延長支柱７０を包含する。この延長支柱７０はフック３３ｂを包含し、フックの高さは前記上部２９に沿って前記支柱７０を移動させることによって調節可能である。基部のアームにクリップで留められた密封廃液ビン、バスケット類及びネット類などの様々な他の装置および部材が、前記移動式医療用フレームに取り付けることができ、そして後部／正面車輪には手動ブレーキも取り付けることができる。さらに、装置の取付けのために、前記支持体１３、特に前記傾斜部２７に支持板を取付けることができる。
【００４０】
本発明の範囲が上記の実施形態の個々の範囲に限定される必要がないことが認識されるべきである。
【図面の簡単な説明】
【００４１】
添付した図面を引用して、説明がなされる。
【図１】図１は、第１の実施形態による移動式医療用フレームの側面図である。
【図２】図２は、第１の実施形態による移動式医療用フレームの背面図である。
【図３】図３は、第２の実施形態による移動式医療用フレームの側面図である。
【図４】図４は、第２の実施形態による移動式医療用フレームの背面図である。
【図５】図５は、移動式医療用フレームの高さ調節可能ハンドルの概略側面図である。
【図６】図６は、移動式医療用フレームの調節可能腕サポートの概略側面図である。
【図７ａ】図７ａは、円筒タンクを支持する第１のアームの概略正面図である。
【図７ｂ】図７ｂは、図７ａの下の部分の拡大図である。
【図８ａ】図８ａは、第１の実施形態の修正形態による移動式医療用フレームの斜視図である。
【図８ｂ】図８ｂは、第１の実施形態の修正形態による移動式医療用フレームの正面図である。
【図８ｃ】図８ｃは、第１の実施形態の修正形態による移動式医療用フレームの側面図である。
【図８ｄ】図８ｄは、第１の実施形態の修正形態による移動式医療用フレームの底面図である。
【図９ａ】図９ａは、第２の実施形態の修正形態による移動式医療用フレームの斜視図である。
【図９ｂ】図９ｂは、第２の実施形態の修正形態による移動式医療用フレームの左側面図である。
【図９ｃ】図９ｃは、第２の実施形態の修正形態による移動式医療用フレームの右側面図である。
【図９ｄ】図９ｄは、第２の実施形態の修正形態による移動式医療用フレームの底面図である。
【符号の説明】
【００４２】
１０      移動式医療用フレーム
１１      基部
１３      支持体
１５      前方に延びるアーム
１７      下部
１９      側方に向かうアーム
２１      第１の車輪
２３      後方に延びるアーム
２５      第２の車輪
２７      中間部（傾斜部）
２９      上部
３３      支持フック
３５      ハンドル
３６      垂直管状部
３７      側部アーム
３９      下部突張り
４０      管状部
４１      上部突張り
４３      第３の突張り
４５      迅速解除留め具
４６      垂直部
４７      つかみ部
４８      水平部／ハンドル（図８）
４９      正面端
５０      垂直つかみ部柱
５２      円筒タンク
５３      傾斜板
５４      脚部突張り
５５      カップ部
５６      タンクの正面端
５７      車輪の正面端
５８      湾曲部
７０      延長支柱
【図１】
2009516550.tif 000003
【図２】
2009516550.tif 000004
【図３】
2009516550.tif 000005
【図４】
2009516550.tif 000006
【図５】
2009516550.tif 000007
【図６】
2009516550.tif 000008
【図７ａ】
2009516550.tif 000009
【図７ｂ】
2009516550.tif 000010
【図８ａ】
2009516550.tif 000011
【図８ｂ】
2009516550.tif 000012
【図８ｃ】
2009516550.tif 000013
【図８ｄ】
2009516550.tif 000014
【図９ａ】
2009516550.tif 000015
【図９ｂ】
2009516550.tif 000016
【図９ｃ】
2009516550.tif 000017
【図９ｄ】
2009516550.tif 000018
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
複数の車輪を取付けられた基部と、
直立の支持体と、
移動式医療用フレームの進路をとるため及び／または使用者が該移動式医療用フレームで身を支えるための少なくとも一つのハンドルを含む、移動式医療用フレームであって、該直立の支持体が、
該基部に取付けられた実質的に直立の下部と、
該基部から一定の高さの位置に設置された傾斜部であって、該傾斜部が該下部から斜め上方に延びる傾斜部と、
該傾斜部から実質的に上方に延びる上部とを有する移動式医療用フレーム。
【請求項２】
前記下部が、前記基部の直立する中心軸と実質的に一直線になる請求項１に記載の移動式医療用フレーム。
【請求項３】
前記傾斜部にモニタ装置が取付けられ、該モニタ装置を、前記移動式医療用フレームのそばに立つ使用者または介護者が見ることができるように、該傾斜部の高さが設定された請求項１または２に記載の移動式医療用フレーム。
【請求項４】
使用者の略前向きの視界を、前記移動式医療用フレームが遮らないように、前記傾斜部を前記支持体の側部アームに対して、前記下部の軸外に取付けることによって、該傾斜部及び上部を該移動式医療用フレームの中心軸の側方に設置する請求項１から３のいずれかに記載の移動式医療用フレーム。
【請求項５】
前記上部が後方に傾斜させられて、該上部に取付けられた荷重は移動式医療用フレームの中心軸により近づけられた設置となる請求項１から４のいずれかに記載の移動式医療用フレーム。
【請求項６】
前記基部が、前記直立支持体から半径方向に延びる第１のアームおよび該第１のアームに対して反対に位置しかつお互いに分岐する一対の第２のアームによって画定され、該第１のアームおよび第２のアームはそれぞれ地面に対して車輪によって支えられている請求項１から５のいずれかに記載の移動式医療用フレーム。
【請求項７】
前記第２のアームの車輪が、人がハンドルを操作し該第２のアームの間に立つことができるために十分な間隔を有する請求項６に記載の移動式医療用フレーム。
【請求項８】
前記第１のアームを前記支持体の前記上部の中心軸より前に延ばしてフレームを安定させる請求項６または７に記載の移動式医療用フレーム。
【請求項９】
前記第１のアームおよび第２のアームが、中心軸に関して、下方に向かって分岐する請求項６から８までのいずれかに記載の移動式医療用フレーム。
【請求項１０】
前記基部が、前記第２のアームと反対方向に位置する２つの第１のアームを含み、該第１のアームがそれぞれ地面に対し車輪によって支持される請求項６から９までのいずれかに記載の移動式医療用フレーム。
【請求項１１】
前記第１のアームが、お互いに平行である請求項１０に記載の移動式医療用フレーム。
【請求項１２】
少なくとも１つの第１のアームが、その上に円筒タンクを支持するための手段を含む請求項１１に記載の移動式医療用フレーム。
【請求項１３】
前記移動式医療用フレームに１対のハンドルが備え付けられ、各ハンドルは前記支持体に取付けられた側部アームから延び、ハンドルは前記傾斜部に関して反対方向に延び該フレームの中心軸の両側に向かって等間隔で配置された、請求項１から１２までのいずれかに記載の移動式医療用フレーム。
【請求項１４】
ハンドルの高さが、調節可能である請求項１３に記載の移動式医療用フレーム。
【請求項１５】
各側部アームが、留め具を有する垂直な管状部を備え、各ハンドルが、該管状部に滑動して収納される垂直部およびつかみ部を有する水平部を含み、該側部アームに関して垂直方向に垂直部を移動させ、次に該留め具によって望ましいつかみ部の高さに垂直部を固定することによって該つかみ部の高さを調節できる請求項１４に記載の移動式医療用フレーム。
【請求項１６】
湾曲部が、前記垂直部と前記つかみ部の水平部とをつなぐ請求項１５に記載の移動式医療用フレーム。
【請求項１７】
前記ハンドルが、使用者の前腕を支持するための前腕サポートを含む、請求項１３または１４に記載の移動式医療用フレーム。
【請求項１８】
前記ハンドルが、最表面に当て物をした延長水平凹部を含み、該凹部の前端に垂直に立つつかみ部を有する請求項１７に記載の移動式医療用フレーム。
【請求項１９】
前記ハンドルが、後部車輪の間に画定される空間の上方に位置する請求項７に従属するときの請求項１３に記載の移動式医療用フレーム。
【請求項２０】
前記傾斜部が、前記下部の上端から延びる請求項１から１９のいずれかに記載の移動式医療用フレーム。
【請求項２１】
前記上部が、前記傾斜部の上端から延びる請求項１から２０のいずれかに記載の移動式医療用フレーム。
【請求項２２】
前記傾斜部が、前記支持体の全長の実質的に中間に位置する請求項１から２１のいずれかに記載の移動式医療用フレーム。
【請求項２３】
前記支持体の前記傾斜部が、前記下部から該下部の中心軸に対して約４５度傾斜して延びる請求項１から２２のいずれかに記載の移動式医療用フレーム。
【請求項２４】
前記上部が、該上部から延長可能な延長部を含み、該上部および該延長部の両方が、その上端に静脈内輸液容器等を取付けるための手段を備える請求項１から２３のいずれかに記載の移動式医療用フレーム。
【請求項２５】
前部車輪がベッドの下に収容され得るように、前記基部が形成される請求項１から２４のいずれかに記載の移動式医療用フレーム。
【請求項２６】
前記移動式医療用フレームをベッドと共に移動させることが望まれるとき、前記支持体を留め具で留めてベッドにかみ合わせ得る請求項１から２５のいずれかに記載の移動式医療用フレーム。
【請求項２７】
静脈内輸液容器を、または前記傾斜部で支持されるポンプ類もしくはモニタ装置に付属する電気コード類を支えるためのフック等の手段を、前記支持体がその様々な位置に備える請求項１から２６のいずれかに記載の移動式医療用フレーム。
【請求項２８】
複数の車輪を取付けられた基部と、
互いに間隔を開けられて保持される１対の直立の支持体と、
移動式医療用フレームの進路をとるため及び／または使用者が該移動式医療用フレームで身を支えるための少なくとも一つのハンドルを含む、移動式医療用フレームであって、該１対の直立の支持体がそれぞれ、
該基部に取付けられた実質的に直立の下部と、
該基部から一定の高さの位置に設置された傾斜部であって、該傾斜部が該下部から斜め上方に延びる傾斜部と、
該傾斜部から実質的に上方に延びる上部とを有する移動式医療用フレーム。
【請求項２９】
前記基部が、２つの前方に延びる第１のアームと、２つの概して後方に延びる第２のアームを含み、これらのアームは、互いに分岐し、それぞれが地面で車輪によって支えられる請求項２８に記載の移動式医療用フレーム。
【請求項３０】
少なくとも１つの前記第１のアームが、円筒タンクを支持するための手段を含む請求項２９に記載の移動式医療用フレーム。
【請求項３１】
各支持体の前記下部が、前記第１のアームのうちの一方及び前記第２のアームのうちの一方に取付けられる請求項２８から３０のいずれかに記載の移動式医療用フレーム。
【請求項３２】
前記支持体が、少なくとも１つの突張りで相互に連結される請求項２８から３１のいずれかに記載の移動式医療用フレーム。
【請求項３３】
下部突張りが、前記下部と前記傾斜部の接合部の間を連結し、上部突張りが、前記上部の上端の間を連結する請求項３２に記載の移動式医療用フレーム。
【請求項３４】
該支持体が、金属板の形態の第３の突張りによって相互に連結され、第３の突張りは、前記上部の下端に位置する請求項３３に記載の移動式医療用フレーム。
【請求項３５】
静脈内輸液バッグを、または前記傾斜部で支持されるポンプ類もしくはモニタ装置に付属する電気コード類を支えるのに適当なフック等の手段を、前記突張りが必要に応じて備える請求項３３または３４に記載の移動式医療用フレーム。
【請求項３６】
前記移動式医療用フレームに１対のハンドルが備え付けられ、各ハンドルは各支持体の側部アームから延び、ハンドルは前記傾斜部に関して反対方向に延び該フレームの中心軸の両側に向かって等間隔で配置される請求項２８から３５までのいずれかに記載の移動式医療用フレーム。
【請求項３７】
ハンドルの高さが、調節可能である請求項３６に記載の移動式医療用フレーム。
【請求項３８】
各側部アームが、留め具を有する垂直な管状部を備え、各ハンドルが、該管状部に滑動して収納される垂直部およびつかみ部を有する水平部を含み、該側部アームに関して垂直方向に垂直部を移動させ、次に該留め具によって望ましいつかみ部の高さに垂直部を固定することによって該つかみ部の高さを調節できる請求項３７に記載の移動式医療用フレーム。
【請求項３９】
湾曲部が、前記ハンドルの前記垂直部と水平部とをつなぐ請求項３８に記載の移動式医療用フレーム。
【請求項４０】
前記ハンドルが、使用者の前腕を支持するための前腕サポートを含む、請求項３６から３９までのいずれかに記載の移動式医療用フレーム。
【請求項４１】
前記ハンドルが、最表面に当て物をした延長水平凹部を含み、該凹部の前端に垂直に立つつかみ部を有する請求項４０に記載の移動式医療用フレーム。
【請求項４２】
前記上部が後方に傾斜させられて、該上部に取付けられた荷重は移動式医療用フレームの中心軸により近づけられた設置となる請求項２８から４１のいずれかに記載の移動式医療用フレーム。
【請求項４３】
前記移動式医療用フレームが、別のこのような移動式医療用フレームと入れ子状に重なり得るように形成される請求項１から４２までのいずれかに記載の移動式医療用フレーム。
【請求項４４】
前記支持体の様々な位置に、静脈内輸液容器をまたは前記傾斜部で支持されるポンプ類もしくはモニタ装置に付属する電気コード類を支えるためのフック等の手段が備えられる請求項１から４３までのいずれかに記載の移動式医療用フレーム。
【請求項４５】
複数の車輪を取付けられた基部と、
該基部に取付けられた支持体と、
移動式医療用フレームの進路をとるため及び／または使用者が該移動式医療用フレームで身を支えるための少なくとも一つのハンドルを含む、移動式医療用フレームであって、該支持体が、
該基部から一定の高さの位置に設置された、モニタ装置を支持する傾斜部であって、該フレームのそばに立つ使用者または人が該装置を見ることができる傾斜部と、
静脈内輸液容器を支える上部とを有する移動式医療用フレーム。
【請求項４６】
複数の車輪を取付けられた基部と、
直立する支持体とを含む静脈内輸液支持支柱であって、
該直立する支持体は、
該基部の直立する中心軸と実質的に一直線状に並ぶ下部と、
該基部から一定の高さの位置に配置され、実質的に該支持体の全長の中間に位置する傾斜部であって、該傾斜部は該下部の上端から斜め上方に延び、その上面を使用の対象とする使用者が体の位置を変える必要なく該使用者に対面するように向けた傾斜部と、
該中間位置の傾斜部の上端から上方に延びる上部とを有する静脈内輸液支持支柱。
【請求項４７】
図面に示された本発明の実施形態のいずれかを引用して実質的に本明細書において説明された移動式医療用フレーム。
【手続補正２】
【補正対象書類名】明細書
【補正対象項目名】００４１
【補正方法】変更
【補正の内容】
【００４１】
添付した図面を引用して、説明がなされる。
【図１】図１は、第１の実施形態による移動式医療用フレームの側面図である。
【図２】図２は、第１の実施形態による移動式医療用フレームの背面図である。
【図３】図３は、第２の実施形態による移動式医療用フレームの側面図である。
【図４】図４は、第２の実施形態による移動式医療用フレームの背面図である。
【図５】図５は、移動式医療用フレームの高さ調節可能ハンドルの概略側面図である。
【図６】図６は、移動式医療用フレームの調節可能腕サポートの概略側面図である。
【図７ａ】図７ａは、円筒タンクを支持する第１のアームの概略正面図である。
【図７ｂ】図７ｂは、図７ａの下の部分の拡大図である。
【図８ａ】図８ａは、第１の実施形態の修正形態による移動式医療用フレームの斜視図である。
【図８ｂ】図８ｂは、第１の実施形態の修正形態による移動式医療用フレームの左側面図である。
【図８ｃ】図８ｃは、第１の実施形態の修正形態による移動式医療用フレームの右側面図である。
【図８ｄ】図８ｄは、第１の実施形態の修正形態による移動式医療用フレームの底面図である。
【図９ａ】図９ａは、第２の実施形態の修正形態による移動式医療用フレームの斜視図である。
【図９ｂ】図９ｂは、第２の実施形態の修正形態による移動式医療用フレームの正面図である。
【図９ｃ】図９ｃは、第２の実施形態の修正形態による移動式医療用フレームの側面図である。
【図９ｄ】図９ｄは、第２の実施形態の修正形態による移動式医療用フレームの底面図である。
【国際調査報告】
2009516550.tif 000019
2009516550.tif 000020
2009516550.tif 000021